(57)【要約】【課題】地震が発生した際でも商品の滑落を防止し得る商品陳列棚用ワイヤフェンスを提供する。【解決手段】商品陳列棚の棚板の前端縁部に取着される下枠部３と、下枠部３から後方傾斜状に起立する金属線材から成る複数本の支柱部６，６と、支柱部６，６の上端に連結される金属線材から成る凹凸波形状の緩衝当り用上枠部２とを、備えている。【選択図】図２
2014212874.tif 000002
【特許請求の範囲】
【請求項１】
商品陳列棚（Ｅ）の棚板（１）の前端縁部に取着される下枠部（３）と、該下枠部（３）から後方傾斜状に起立する金属線材から成る複数本の支柱部（６）（６）と、該支柱部（６）（６）の上端に連結される金属線材から成る凹凸波形状の緩衝当り用上枠部（２）とを、備えたことを特徴とする商品陳列棚用ワイヤフェンス。
【請求項２】
上記上枠部（２）は、直径２．５ｍｍ〜直径３．５ｍｍの金属線材から成る請求項１記載の商品陳列棚用ワイヤフェンス。
【請求項３】
上記支柱部（６）（６）と上記上枠部（２）は、上記棚板（１）に対し７０°〜８５°の角度（θ）で後方傾斜状とした請求項１又は２記載の商品陳列棚用ワイヤフェンス。
【請求項４】
上記支柱部（６）の高さ寸法（Ｈ）に対し、上記上枠部（２）の上下幅寸法（ｈ）が５０％〜７０％の大きさに設定されている請求項１，２又は３記載の商品陳列棚用ワイヤフェンス。
【請求項５】
上記上枠部（２）は、上記凹凸波形の１周期の長さ寸法（Ｌ）が６０ｍｍ〜１１０ｍｍに設定されている請求項１，２，３又は４記載の商品陳列棚用ワイヤフェンス。
【発明の詳細な説明】
【技術分野】
【０００１】
本発明は、商品陳列棚用ワイヤフェンスに関する。
【背景技術】
【０００２】
従来、スーパーマーケットやコンビニエンスストア等で使用される商品陳列棚の棚板には、商品の落下を防止するための商品陳列棚用ワイヤフェンスが取り付けられている（特許文献１参照）。
特許文献１記載の商品陳列棚用ワイヤフェンスは、棚板の前端縁部に正面視門型の柵を張ることにより、商品の棚板からの落下を防止していた。
【先行技術文献】
【特許文献】
【０００３】
【特許文献１】特開２００９−１３１４３４号公報
【発明の概要】
【発明が解決しようとする課題】
【０００４】
しかし、従来、地震が発生した際に、横揺れによって前後左右方向に商品陳列棚が揺さぶられ、棚板上に陳列されている商品がワイヤフェンスを乗り越えて、棚板から飛び出して床に落下するという問題があった。棚から落下した商品は、破損したり傷が付いたりして、売り物にならなくなり廃棄せざるを得なくなって、地震が発生する度に大きな損害を発生していた。また、商品が、ガラス瓶等の割れ易いものである場合には、割れて中身の液体が流出し、さらに、割れた瓶の破片が散乱して人に危害が及ぶ虞れがあった。
【０００５】
そこで、本発明は、地震が発生した際でも商品の滑落を防止し得る商品陳列棚用ワイヤフェンスを提供することを目的とする。
【課題を解決するための手段】
【０００６】
本発明に係る商品陳列棚用ワイヤフェンスは、商品陳列棚の棚板の前端縁部に取着される下枠部と、該下枠部から後方傾斜状に起立する金属線材から成る複数本の支柱部と、該支柱部の上端に連結される金属線材から成る凹凸波形状の緩衝当り用上枠部とを、備えたものである。
【０００７】
また、上記上枠部は、直径２．５ｍｍ〜直径３．５ｍｍの金属線材から成るものである。
また、上記支柱部と上記上枠部は、上記棚板に対し７０°〜８５°の角度で後方傾斜状としたものである。
また、上記支柱部の高さ寸法に対し、上記上枠部の上下幅寸法が５０％〜７０％の大きさに設定されているものである。
また、上記上枠部は、上記凹凸波形の１周期の長さ寸法が６０ｍｍ〜１１０ｍｍに設定されているものである。
【発明の効果】
【０００８】
本発明の商品陳列棚用ワイヤフェンスによれば、地震が発生しても、商品を棚板から飛び出させることなく保持でき、滑落を防止できる。平常時に、商品の取り出しの邪魔にならず、かつ、商品のラベル等を隠すことなく正面から見易く陳列できる。
【図面の簡単な説明】
【０００９】
【図１】商品陳列棚の一例を示した斜視図である。
【図２】本発明の実施の一形態を示した正面図である。
【図３】平面図である。
【図４】拡大側面図である。
【図５】本発明の商品陳列棚用ワイヤフェンスの作用説明用側面断面図である。
【図６】本発明の商品陳列棚用ワイヤフェンスの作用説明用側面断面図である。
【図７】本発明の他の実施形態を示した正面図である。
【発明を実施するための形態】
【００１０】
以下、実施の形態を示す図面に基づき本発明を詳説する。
図１は、本発明を適用した商品陳列棚Ｅの斜視図である。
商品陳列棚Ｅは、複数の棚板１，１が設けられ、この棚板１，１の前端縁部（上面）に、商品の滑落を防止するためのワイヤフェンスが起立状に取付けられている。棚板１の上には、ワインのボトル、ビール瓶、酒類の一升瓶、醤油や液体調味料を収容する容器、ペットボトル等が、販売又は保管のため陳列される。
図２〜図４に示すように、本発明の商品陳列棚用ワイヤフェンスは、商品陳列棚Ｅの棚板１の前端縁部に取着される下枠部３と、下枠部３から後方傾斜状に起立する金属線材から成る複数本の支柱部６，６と、支柱部６，６の上端に連結される金属線材から成る凹凸波形状の緩衝当り用上枠部２とを、備えている。即ち、上枠部２には、所定等ピッチで凹部５と凸部４が交互に繰り返し形成されている。なお、本発明に於て、「凹凸波形状」とは、凹部５と凸部４が各々に角部を有する三角波形状（ジグザク形状）、あるいは、凹部５と凸部４が円弧状に形成される正弦波形状、又は、台形波形状、のこぎり波形状を包含する。
【００１１】
本発明の商品陳列棚用ワイヤフェンスは、図５に示すように、地震発生時に、横揺れによって前後左右方向に商品陳列棚Ｅが揺さぶられ、棚板１上の被載置物品Ｐが前方へ移動しつつ傾倒する。この際、上枠部２が、傾倒する途中の被載置物品Ｐに当接（衝突）し、凹部５にて被載置物品Ｐを支持する。なお、被載置物品Ｐが凸部４に当接（衝突）した場合は、被載置物品Ｐを左右方向に小移動させつつ凹部５に落とし込んで（２つの凸部４，４間に挟んだ状態として）支持する。このようにして、上枠部２によって、被載置物品Ｐを斜めに傾いた状態で支持し、被載置物品Ｐが前方（棚板１の外方）へ飛び出すのを防止する。また、図６に示すように、上枠部２によって被載置物品Ｐが斜めに支持された状態で、被載置物品Ｐの下端部を後方へ滑らせて矢印Ｓのように移動させ、被載置物品Ｐを棚板１の外方へ飛び出させることなく（棚板１上に）保持するように構成されている。
【００１２】
上枠部２は、直径２．５ｍｍ〜直径３．５ｍｍの金属線材によって構成されている。即ち、上枠部２の断面形状は、円形状である。
上枠部２は、被載置物品Ｐから外力Ｆ（図５参照）を受けた際、弾性変形し、弾発的押返し力をもって、被載置物品Ｐを押し返す。上枠部２が直径２．５ｍｍ未満であると、強度が不足し、被載置物品Ｐの荷重に耐えられずに塑性変形してしまう虞れがある。また、直径３．５ｍｍを越えると、弾発的押返し力が適度に発揮できず、しかも、重量が重くなりコストが嵩む。
なお、上枠部２は、弾性変形の際、被載置物品Ｐに押されて全体が弓形に弯曲する。また、上枠部２が支柱部６，６との連結部を支点として回転するように捩じられ、さらに、凹部５が被載置物品Ｐの荷重によって拡開する。つまり、上枠部２は、被載置物品Ｐからの外力Ｆによって、複合的な弾性変形を（同時に）生じ、被載置物品Ｐを弾発的に受け止めることができる。しかも、微小な変形であるにもかかわらず、確実に弾発的押返し力を発生して、被載置物品Ｐを押し返すことができる。
支柱部６，６は、直径２．５ｍｍ〜直径３．５ｍｍの金属線材から成る。図２に示すように、上枠部２と左右両端部の支柱部６，６は、連結一体状であるのが望ましい。左右中間位置の支柱部６，６は、凸部４の下端に（溶接等により）連結されている。なお、図７（Ａ）に示すように、支柱部６，６の本数は、適宜増減可能である。
【００１３】
図４と図５、図６に示すように、支柱部６，６と上枠部２は、棚板１に対し７０°〜８５°の角度θで後方傾斜状として設けられている。上枠部２は、側面視に於て、支柱部６，６に重なるように同一平面に配設されている。
下枠部３は、断面Ｌ字状に折曲げられた帯板状金属から成り、棚板１（の前端縁部）に当接する支持片部１１と、支持片部１１に対し７０°〜８５°の角度θで後方傾斜状に延設される起立片部１２とを、有している。起立片部１２には、支柱部６，６が（溶接等により）固着されている。また、支持片部１１の下面には、棚板１（の前端縁部）に設けた複数の取付孔９（図５参照）に差込可能な複数の挿入片７が下向きに突設されている。
より好ましくは、上記角度θは７５°〜８１°とする。この角度が、下限値より小さいと、飛び出し防止の機能が十分に発揮されず、上限値を越えると、外力Ｆに対する強度に劣り、被載置物品Ｐを確実に保持できない虞れがある。
【００１４】
図２、図４に示すように、支柱部６の高さ寸法Ｈに対し、上枠部２の上下幅寸法ｈが５０％〜７０％の大きさに設定されている。なおかつ、上枠部２は、凹凸波形の１周期の長さ寸法Ｌが、６０ｍｍ〜１１０ｍｍに設定されている。支柱部６の高さ寸法Ｈは、棚板１の上に置くボトル又は瓶に対応させて、適宜その大きさを決定する。図５に示すように、棚板１上に立てて置かれた状態の被載置物品Ｐの高さ寸法Ｈｐに対し、支柱部６の高さ寸法Ｈが０．２倍〜０．４倍に設定されるのが望ましい。図２に示す上枠部２に於て、凸部４の成す角度αと、凹部５の成す角度βとは、同じ大きさとなっており、この角度α・角度βは、６０°〜７５°に設定されるのが好ましい。このように構成することで、上枠部２は、地震発生時に、被載置物品Ｐを凹部５に確実に落とし込んで支持できる。
【００１５】
上述した本発明の商品陳列棚用ワイヤフェンスの作用について説明する。
図５に示すように、平常時は、棚板１上に被載置物品Ｐが立てられた状態で載置される。図示省略するが、棚板１には、複数列にわたって、複数本の被載置物品Ｐが前後方向に並べられることもある。本発明の商品陳列棚用ワイヤフェンスは、金属線材から成る上枠部２と支柱部６が、被載置物品Ｐに添付された商品ラベルや容器形状等の視認性を低下させることがなく、また、棚板１から被載置物品Ｐを取り出す際にも、邪魔にならない。
地震が発生した時には、前後左右方向の横揺れによって、棚板１（商品陳列棚Ｅ）が揺さぶられ、被載置物品Ｐが（前後左右方向に）移動しつつ前方へ倒れてくる。この際、上枠部２は、被載置物品Ｐの側面に当接（衝突）し、凹部５にて受け止めて、棚板１の前方へ飛び出すのを阻止し、被載置物品Ｐを前傾姿勢で支持する。この際、本発明の商品陳列棚用ワイヤフェンスは、被載置物品Ｐから受ける外力Ｆによって、上枠部２が（複合的に）弾性変形し、弾発的押返し力をもって、被載置物品Ｐを（後方へ）押し返す。
【００１６】
次に、図６に示すように、上枠部２にて受け止められた被載置物品Ｐは、その下端部が矢印Ｓのように後方へ滑って移動し、（棚板１上で）倒れ込む。被載置物品Ｐは、倒れ込むことで、重心が低い位置に降下し、棚板１から飛び出るリスクを低減する。倒れ込みの際、被載置物品Ｐの側面が上枠部２に摺接するが、上枠部２は（円形断面の）金属線材で構成されている為、引っ掛かりがなく、被載置物品Ｐをスムーズに後方に移動させることが可能である。また、上枠部２は、弾発的押返し力をもって、被載置物品Ｐを押し返す作用を発揮し、被載置物品Ｐを後方（棚板１の奥側）へ押し込んで、矢印Ｓ方向への滑りを助長する。このように、地震が発生した場合であっても、上枠部２によって被載置物品Ｐの外方への飛び出しを阻止し、かつ、被載置物品Ｐの前方への傾倒を途中で食い止めて、被載置物品Ｐが棚板１から落下するのを防止する。
【００１７】
なお、本発明は、設計変更可能であって、図７（Ａ）に示すように、支柱部６，６のピッチを増減しても良い。また、図７（Ｂ）（Ｃ）に示すように、例えば、各支柱部６の上端を、凹部５の下端に連結するも好ましい。支柱部６は、凸部４の下端に連結するものと、凹部５の下端に連結するものとが、混在しても良い。また、図示省略するが、挿入片７を省略しても良く、下枠部３は、棚板１にボルト・ナットを用いて、あるいは、粘着テープ等によって取着しても良い。
【００１８】
以上のように、本発明に係る商品陳列棚用ワイヤフェンスは、商品陳列棚Ｅの棚板１の前端縁部に取着される下枠部３と、下枠部３から後方傾斜状に起立する金属線材から成る複数本の支柱部６，６と、支柱部６，６の上端に連結される金属線材から成る凹凸波形状の緩衝当り用上枠部２とを、備えたので、地震が発生しても、被載置物品Ｐを棚板１から飛び出させることなく保持でき、滑落を防止できる。平常時に、被載置物品Ｐの取り出しの邪魔にならず、かつ、被載置物品Ｐに付されたラベル等を隠すことなく正面から見易く陳列できる。被載置物品Ｐからの外力Ｆを受けて、上枠部２が弾性変形し、弾発的押返し力をもって、被載置物品Ｐを押し返し、棚板１からの落下を確実に防止できる。上枠部２が複合的に弾性変形し、被載置物品Ｐを弾発的に受けることができる。
【００１９】
また、上枠部２は、直径２．５ｍｍ〜直径３．５ｍｍの金属線材から成るので、十分な強度と剛性を確保でき、かつ、適度な弾発的押返し力を発揮できる。被載置物品Ｐの下端部を（矢印Ｓのように）後方へ滑らせる際、上枠部２が被載置物品Ｐに引っ掛かることなく、被載置物品Ｐをスムーズに後方に移動させることができる。
【００２０】
また、支柱部６，６と上枠部２は、棚板１に対し７０°〜８５°の角度θで後方傾斜状としたので、被載置物品Ｐを棚板１上に確実に保持でき、棚板１からの落下を防止できる。
【００２１】
また、支柱部６の高さ寸法Ｈに対し、上枠部２の上下幅寸法ｈが５０％〜７０％の大きさに設定されているので、被載置物品Ｐを上枠部２の凹凸にて確実に支持でき、棚板１からの落下を防止できる。
【００２２】
また、上枠部２は、凹凸波形の１周期の長さ寸法Ｌが６０ｍｍ〜１１０ｍｍに設定されているので、被載置物品Ｐを上枠部２の凹凸にて確実に支持でき、棚板１からの落下を防止できる。
【符号の説明】
【００２３】
１  棚板
２  上枠部
３  下枠部
６  支柱部
Ｅ  商品陳列棚
θ  角度
Ｈ  高さ寸法
ｈ  上下幅寸法
Ｌ  長さ寸法
【図１】
2014212874.tif 000003
【図２】
2014212874.tif 000004
【図３】
2014212874.tif 000005
【図４】
2014212874.tif 000006
【図５】
2014212874.tif 000007
【図６】
2014212874.tif 000008
【図７】
2014212874.tif 000009